(57)【特許請求の範囲】
【請求項１】
無線通信システムにおいてユーザ機器（ＵＥ）によりアップリンク制御信号を送信する方法であって、前記方法は、
基地局から複数のアップリンク制御チャネルに関するリソース割当情報を受信することであって、前記複数のアップリンク制御チャネルは、フィードバックチャネルおよび帯域幅要請チャネルを含む、ことと、
前記複数のアップリンク制御チャネルのうちの少なくとも一つを介して前記基地局にアップリンク制御信号を送信することと
を含み、
周波数領域における前記複数のアップリンク制御チャネルの割当順序は、前記フィードバックチャネル、前記帯域幅要請チャネルであり、
前記リソース割当情報は、前記フィードバックチャネルに割り当てられる無線リソースの大きさを含む、方法。
【請求項２】
前記フィードバックチャネルに割り当てられる論理リソースユニットのインデックスは、前記帯域幅要請チャネルに割り当てられる論理リソースユニットのインデックスよりも小さい、請求項１に記載の方法。
【請求項３】
前記リソース割当情報は、前記複数のアップリンク制御チャネルが割り当てられた周波数パーティション（ＦＰ）に関する情報をさらに含む、請求項１に記載の方法。
【請求項４】
前記リソース割当情報は、ブロードキャストされる、請求項１に記載の方法。
【請求項５】
前記フィードバックチャネルは、ファストフィードバックチャネル（ＦＦＢＣＨ）及びＨＡＲＱ（Ｈｙｂｒｉｄ  Ａｕｔｏｍａｔｉｃ  Ｒｅｐｅａｔ  Ｒｅｑｕｅｓｔ）フィードバックチャネル（ＨＦＢＣＨ）を含む、請求項１に記載の方法。
【請求項６】
前記フィードバックチャネルの割当順序は、前記ＨＦＢＣＨ、前記ＦＦＢＣＨである、請求項５に記載の方法。
【請求項７】
前記ＨＦＢＣＨに割り当てられる論理リソースユニットのインデックスは、前記ＦＦＢＣＨに割り当てられる論理リソースユニットのインデックスよりも小さい、請求項６に記載の方法。
【請求項８】
前記フィードバックチャネルに割り当てられる無線リソースの大きさは、前記フィードバックチャネルに割り当てられる論理リソースユニットの数を示す、請求項１に記載の方法。
【請求項９】
前記フィードバックチャネルに割り当てられる無線リソースの大きさは、ＨＦＢＣＨの数を含む、請求項１に記載の方法。
【請求項１０】
前記リソース割当情報は、前記帯域幅要請チャネルが割り当てられた位置をさらに含む、請求項１に記載の方法。
【請求項１１】
データチャネルを介して前記基地局にアップリンクデータを送信することをさらに含む、請求項１に記載の方法。
【請求項１２】
無線通信システムにおけるユーザ機器（ＵＥ）であって、前記ＵＥは、
無線信号を送信または受信するように構成されるＲＦ（Ｒａｄｉｏ  Ｆｒｅｕｑｕｅｎｃｙ）部と、
前記ＲＦ部と連結されるプロセッサと
を含み、
前記プロセッサは、
基地局から複数のアップリンク制御チャネルに関するリソース割当情報を受信することであって、前記複数のアップリンク制御チャネルは、フィードバックチャネルおよび帯域幅要請チャネルを含む、ことと、
前記複数のアップリンク制御チャネルのうちの少なくとも一つを介して前記基地局にアップリンク制御信号を送信することと
を実行するように構成され、
周波数領域における前記複数のアップリンク制御チャネルの割当順序は、前記フィードバックチャネル、前記帯域幅要請チャネルであり、
前記リソース割当情報は、前記フィードバックチャネルに割り当てられる無線リソースの大きさを含む、ＵＥ。
【請求項１３】
前記フィードバックチャネルに割り当てられる論理リソースユニットのインデックスは、前記帯域幅要請チャネルに割り当てられる論理リソースユニットのインデックスよりも小さい、請求項１２に記載のＵＥ。
【請求項１４】
前記リソース割当情報は、前記複数のアップリンク制御チャネルが割り当てられた周波数パーティション（ＦＰ）に関する情報をさらに含む、請求項１２に記載のＵＥ。
【発明の詳細な説明】
【技術分野】
【０００１】
本発明は、無線通信に関し、より詳しくは、無線通信システムにおけるアップリンク制御信号送信方法及び装置に関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ規格は、２００７年ＩＴＵ（Ｉｎｔｅｒｎａｔｉｏｎａｌ  Ｔｅｌｅｃｏｍｍｕｎｉｃａｔｉｏｎ  Ｕｎｉｏｎ）の一つのセクターであるＩＴＵ−Ｒ（ＩＴＵ−Ｒａｄｉｏ  ｃｏｍｍｕｎｉｃａｔｉｏｎ  Ｓｅｃｔｏｒ）でＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００のための６番目の規格であり、‘ＷＭＡＮ−ＯＦＤＭＡ  ＴＤＤ’という名称で採択された。ＩＴＵ−Ｒは、ＩＭＴ−２０００以後の次世代４Ｇ移動通信規格としてＩＭＴ−Ａｄｖａｎｃｅｄシステムを準備している。ＩＥＥＥ８０２．１６ＷＧ（Ｗｏｒｋｉｎｇ  Ｇｒｏｕｐ）は、２００６年末ＩＭＴ−Ａｄｖａｎｃｅｄシステムのための規格であり、既存ＩＥＥＥ８０２．１６ｅの修正（ａｍｅｎｄｍｅｎｔ）規格を作成することを目標に８０２．１６ｍプロジェクトの推進を決定した。前記目標で分かるように、８０２．１６ｍ規格は、８０２．１６ｅ規格の修正という過去の連続性と次世代ＩＭＴ−Ａｄｖａｎｃｅｄシステムのための規格という未来の連続性である二つの側面を内包している。従って、８０２．１６ｍ規格は、８０２．１６ｅ規格に基づいたＭｏｂｉｌｅ  ＷｉＭＡＸシステムとの互換性（ｃｏｍｐａｔｉｂｉｌｉｔｙ）を維持し、且つＩＭＴ−Ａｄｖａｎｃｅｄシステムのための進歩した要求事項を満たすことを要求している。
【０００３】
次世代無線通信システムで考慮されているシステムのうち一つが低い複雑度でシンボル間干渉（ＩＳＩ；Ｉｎｔｅｒ−Ｓｙｍｂｏｌ  Ｉｎｔｅｒｆｅｒｅｎｃｅ）効果を減殺させることができる直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；以下、ＯＦＤＭという）システムである。ＯＦＤＭは、直列に入力されるデータシンボルをＮ個の並列データシンボルに変換し、各々分離されたＮ個の副搬送波（ｓｕｂｃａｒｒｉｅｒ）に載せて送信する。副搬送波は、周波数次元で直交性を維持するようにする。各々の直交チャネルは、相互独立的な周波数選択的フェーディング（ｆｒｅｑｕｅｎｃｙ  ｓｅｌｅｃｔｉｖｅ  ｆａｄｉｎｇ）を経験するようになり、送信されるシンボルの間隔が長くなりシンボル間干渉が最小化されるこことができる。直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；以下、ＯＦＤＭＡという）とは、ＯＦＤＭを変調方式に使用するシステムにおいて利用可能な副搬送波の一部を各ユーザに独立的に提供して多重接続を実現する多重接続方法をいう。ＯＦＤＭＡは副搬送波という周波数リソースを各ユーザに提供し、各々の周波数リソースは多数のユーザに独立的に提供されて互いに重ならないことが一般的である。結局、周波数リソースはユーザ毎に相互排他的に割り当てられる。
【０００４】
ＯＦＤＭＡシステムで周波数選択的スケジューリング（ｆｒｅｑｕｅｎｃｙ  ｓｅｌｅｃｔｉｖｅ  ｓｃｈｅｄｕｌｉｎｇ）を介して多重ユーザに対する周波数ダイバーシティ（ｆｒｅｑｕｅｎｃｙ  ｄｉｖｅｒｓｉｔｙ）を得ることができ、副搬送波に対する順列（ｐｅｒｍｕｔａｔｉｏｎ）方式によって副搬送波を多様な形態に割り当てることができる。また、多重アンテナ（ｍｕｌｔｉｐｌｅ  ａｎｔｅｎｎａ）を用いた空間多重化技法に空間領域の効率性を高めることができる。このような多様な技法をサポートするために、端末と基地局との間に制御信号の送信が必ず必要である。制御信号には、端末が基地局にチャネル状態を報告するＣＱＩ（Ｃｈａｎｎｅｌ  ｑｕａｌｉｔｙ  ｉｎｄｉｃａｔｏｒ）、データ送信に対する応答のＡＣＫ／ＮＡＣＫ（Ａｃｋｎｏｗｌｅｄｇｅｍｅｎｔ／Ｎｏｔ−ａｃｋｎｏｗｌｅｄｇｅｍｅｎｔ）信号、無線リソースの割当を要請する帯域幅要請信号、多重アンテナシステムにおけるプリコーディング（ｐｒｅｃｏｄｉｎｇ）情報、及びアンテナ情報などがある。前記制御信号は制御チャネルを介して送信される。
【０００５】
現在までアップリンク制御チャネルを割り当てる方法において具体的に開示されたことがない。従って、アップリンク制御チャネルが存在する部分的周波数再使用（ＦＦＲ；Ｆｒａｃｔｉｏｎａｌ  Ｆｒｅｑｕｅｎｃｙ  Ｒｅｕｓｅ）領域及びアップリンク制御チャネルとアップリンクデータチャネルの順序などを決定する必要がある。
【発明の概要】
【発明が解決しようとする課題】
【０００６】
本発明の技術的課題は、無線通信システムにおけるアップリンク制御信号送信方法及び装置を提供することである。
【課題を解決するための手段】
【０００７】
一態様において、無線通信システムにおけるアップリンク制御信号送信方法が提供される。前記アップリンク制御信号送信方法は、複数のアップリンク制御チャネルの各々に対するリソース割当情報を受信し、前記複数のアップリンク制御チャネルのうちいずれか一つを介してアップリンク制御信号を送信することを含み、前記複数のアップリンク制御チャネルの中から選択された一つの基準アップリンク制御チャネルを基準に順次隣接するリソースが前記複数のアップリンク制御チャネルの各々に割り当てられ、前記リソース割当情報は、前記複数のアップリンク制御チャネルが構成される（ｃｏｎｆｉｇｕｒｅ）リソース領域内で前記複数のアップリンク制御チャネルの各々に割り当てられた無線リソースの大きさを含む。前記リソース割当情報は、前記リソース領域が送信されるサブフレームの位置に関する情報をさらに含む。前記リソース割当情報は、前記複数のアップリンク制御チャネルが割り当てられた周波数パーティション（ｆｒｅｑｕｅｎｃｙ  ｐａｒｔｉｔｉｏｎ）に関する情報をさらに含む。前記リソース割当情報は、ブロードキャスト（ｂｒｏａｄｃａｓｔ）される。前記複数のアップリンク制御チャネルは、帯域幅要請チャネル（ＢＲＣＨ；Ｂａｎｄｗｉｄｔｈ  Ｒｅｑｕｅｓｔ  Ｃｈａｎｎｅｌ）及びフィードバックチャネルのうち少なくともいずれか一つを含む。前記フィードバックチャネルは、ファストフィードバックチャネル（ＦＦＢＣＨ；Ｆａｓｔ  Ｆｅｅｄｂａｃｋ  Ｃｈａｎｎｅｌ）及びＨＡＲＱ（Ｈｙｂｒｉｄ  Ａｕｔｏｍａｔｉｃ  Ｒｅｐｅａｔ  ｒｅｑｕｅｓｔ）フィードバックチャネル（ＨＦＢＣＨ；ＨＡＲＱ  Ｆｅｅｄｂａｃｋ  Ｃｈａｎｎｅｌ）を含む。前記フィードバックチャネルのための無線リソースと前記ＢＲＣＨのための無線リソースが順次割り当てられる。前記無線リソースの大きさは、前記複数のアップリンク制御チャネルに含まれる前記ＢＲＣＨまたは前記フィードバックチャネルが割り当てられるリソースユニットの個数、或いは前記ＢＲＣＨまたは前記フィードバックチャネルの個数である。前記ＢＲＣＨのリソースユニットは、時間領域で６ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル及び周波数領域で６副搬送波を含む。前記フィードバックチャネルのリソースユニットは、前記フィードバックチャネルがＨＦＢＣＨを含む場合、時間領域で２ＯＦＤＭシンボル及び周波数領域で２副搬送波を含む。前記フィードバックチャネルのリソースユニットは、前記フィードバックチャネルがＦＦＢＣＨを含む場合、時間領域で６ＯＦＤＭシンボル及び周波数領域で２副搬送波を含む。前記基準アップリンク制御チャネルの前記リソース領域内における位置は、予め指定される（ｐｒｅ−ｄｅｔｅｒｍｉｎｅｄ）。
【０００８】
他の態様において、無線通信システムで端末が提供される。前記端末は、無線信号を送信または受信するように構成されるＲＦ（Ｒａｄｉｏ  Ｆｒｅｑｕｅｎｃｙ）部；及び、前記ＲＦ部と連結されるプロセッサ；を含み、前記プロセッサは、複数のアップリンク制御チャネルの各々に対するリソース割当情報を受信し、前記複数のアップリンク制御チャネルのうちいずれか一つを介してアップリンク制御信号を送信するように構成され、前記複数のアップリンク制御チャネルの中から選択された一つの基準アップリンク制御チャネルを基準に順次隣接するリソースが前記複数のアップリンク制御チャネルの各々に割り当てられ、前記リソース割当情報は、前記複数のアップリンク制御チャネルが構成される（ｃｏｎｆｉｇｕｒｅ）リソース領域内で前記複数のアップリンク制御チャネルの各々に割り当てられた無線リソースの大きさを含む。前記リソース割当情報は、前記リソース領域が送信されるサブフレームの位置に関する情報をさらに含む。前記複数のアップリンク制御チャネルは、帯域幅要請チャネル（ＢＲＣＨ；Ｂａｎｄｗｉｄｔｈ  Ｒｅｑｕｅｓｔ  Ｃｈａｎｎｅｌ）及びフィードバックチャネルのうち少なくともいずれか一つを含む。
本明細書は、例えば、以下の事項も提供する。
（項目１）
無線通信システムにおけるアップリンク制御信号送信方法において、
複数のアップリンク制御チャネルの各々に対するリソース割当情報を受信し、
前記複数のアップリンク制御チャネルのうちいずれか一つを介してアップリンク制御信号を送信することを含み、
前記複数のアップリンク制御チャネルの中から選択された一つの基準アップリンク制御チャネルを基準に順次隣接するリソースが前記複数のアップリンク制御チャネルの各々に割り当てられ、
前記リソース割当情報は、前記複数のアップリンク制御チャネルが構成される（ｃｏｎｆｉｇｕｒｅ）リソース領域内で前記複数のアップリンク制御チャネルの各々に割り当てられた無線リソースの大きさを含むことを特徴とするアップリンク制御信号送信方法。
（項目２）
前記リソース割当情報は、前記リソース領域が送信されるサブフレームの位置に関する情報をさらに含むことを特徴とする項目１に記載のアップリンク制御信号送信方法。
（項目３）
前記リソース割当情報は、前記複数のアップリンク制御チャネルが割り当てられた周波数パーティション（ｆｒｅｑｕｅｎｃｙ  ｐａｒｔｉｔｉｏｎ）に関する情報をさらに含むことを特徴とする項目１に記載のアップリンク制御信号送信方法。
（項目４）
前記リソース割当情報は、ブロードキャスト（ｂｒｏａｄｃａｓｔ）されることを特徴とする項目１に記載のアップリンク制御信号送信方法。
（項目５）
前記複数のアップリンク制御チャネルは、帯域幅要請チャネル（ＢＲＣＨ；Ｂａｎｄｗｉｄｔｈ  Ｒｅｑｕｅｓｔ  Ｃｈａｎｎｅｌ）及びフィードバックチャネルのうち少なくともいずれか一つを含むことを特徴とする項目１に記載のアップリンク制御信号送信方法。
（項目６）
前記フィードバックチャネルは、ファストフィードバックチャネル（ＦＦＢＣＨ；Ｆａｓｔ  Ｆｅｅｄｂａｃｋ  Ｃｈａｎｎｅｌ）及びＨＡＲＱ（Ｈｙｂｒｉｄ  Ａｕｔｏｍａｔｉｃ  Ｒｅｐｅａｔ  ｒｅｑｕｅｓｔ）フィードバックチャネル（ＨＦＢＣＨ；ＨＡＲＱ  Ｆｅｅｄｂａｃｋ  Ｃｈａｎｎｅｌ）を含むことを特徴とする項目５に記載のアップリンク制御信号送信方法。
（項目７）
前記フィードバックチャネルのための無線リソースと前記ＢＲＣＨのための無線リソースが順次割り当てられることを特徴とする項目５に記載のアップリンク制御信号送信方法。
（項目８）
前記無線リソースの大きさは、前記複数のアップリンク制御チャネルに含まれる前記ＢＲＣＨまたは前記フィードバックチャネルが割り当てられるリソースユニットの個数、或いは前記ＢＲＣＨまたは前記フィードバックチャネルの個数であることを特徴とする項目５に記載のアップリンク制御信号送信方法。
（項目９）
前記ＢＲＣＨのリソースユニットは、時間領域で６ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル及び周波数領域で６副搬送波を含むことを特徴とする項目８に記載のアップリンク制御信号送信方法。
（項目１０）
前記フィードバックチャネルのリソースユニットは、前記フィードバックチャネルがＨＦＢＣＨを含む場合、時間領域で２ＯＦＤＭシンボル及び周波数領域で２副搬送波を含むことを特徴とする項目８に記載のアップリンク制御信号送信方法。
（項目１１）
前記フィードバックチャネルのリソースユニットは、前記フィードバックチャネルがＦＦＢＣＨを含む場合、時間領域で６ＯＦＤＭシンボル及び周波数領域で２副搬送波を含むことを特徴とする項目８に記載のアップリンク制御信号送信方法。
（項目１２）
前記基準アップリンク制御チャネルの前記リソース領域内における位置は、予め指定される（ｐｒｅ−ｄｅｔｅｒｍｉｎｅｄ）ことを特徴とする項目１に記載のアップリンク制御信号送信方法。
（項目１３）
無線通信システムにおいて、
無線信号を送信または受信するように構成されるＲＦ（Ｒａｄｉｏ  Ｆｒｅｕｑｕｅｎｃｙ）部；及び、
前記ＲＦ部と連結されるプロセッサ；を含み、
前記プロセッサは、
複数のアップリンク制御チャネルの各々に対するリソース割当情報を受信し、
前記複数のアップリンク制御チャネルのうちいずれか一つを介してアップリンク制御信号を送信するように構成され、
前記複数のアップリンク制御チャネルの中から選択された一つの基準アップリンク制御チャネルを基準に順次隣接するリソースが前記複数のアップリンク制御チャネルの各々に割り当てられ、
前記リソース割当情報は、前記複数のアップリンク制御チャネルが構成される（ｃｏｎｆｉｇｕｒｅ）リソース領域内で前記複数のアップリンク制御チャネルの各々に割り当てられた無線リソースの大きさを含むことを特徴とする端末。
（項目１４）
前記リソース割当情報は、前記リソース領域が送信されるサブフレームの位置に関する情報をさらに含むことを特徴とする項目１３に記載の端末。
（項目１５）
前記複数のアップリンク制御チャネルは、帯域幅要請チャネル（ＢＲＣＨ；Ｂａｎｄｗｉｄｔｈ  Ｒｅｑｕｅｓｔ  Ｃｈａｎｎｅｌ）及びフィードバックチャネルのうち少なくともいずれか一つを含むことを特徴とする項目１３に記載の端末。
【発明の効果】
【０００９】
本発明によると、複数のアップリンク制御チャネルは、リソース領域内で互いに隣接するように構成され、制御信号は、前記複数の複数のアップリンク制御チャネルを介して送信される。これによって、アップリンク制御チャネルの構成に必要なアップリンク制御チャネルの大きさに対する情報が最小限に送信され、シグナリングオーバーヘッド（ｓｉｇｎａｌｉｎｇ  ｏｖｅｒｈｅａｄ）が減ることができる。
【図面の簡単な説明】
【００１０】
【図１】無線通信システムを示す。
【図２】本発明の一実施例に係る送信機と受信機を示すブロック図である。
【図３】フレーム構造の一例を示す。
【図４】ＩＥＥＥ８０２．１６ｍシステムにおけるアップリンク制御チャネルに使われるリソースユニットの一例を示す。
【図５】本発明の一実施例に係るアップリンク制御信号送信方法を示す。
【図６】本発明によって割り当てられたアップリンク制御チャネルの一例を示す。
【図７】割り当てられたアップリンク制御チャネルのＨＦＢＣＨとＦＦＢＣＨが一つのＤＲＵ内に割り当てられた一例を示す。
【図８】本発明によって割り当てられたアップリンク制御チャネルの他の例を示す。
【図９】本発明によって割り当てられたアップリンク制御チャネルの他の例を示す。
【図１０】本発明によって割り当てられたアップリンク制御チャネルの他の例を示す。
【図１１】６個のダウンリンクサブフレームと２個のアップリンクサブフレームとの間のマッピング関係の一例を示す。
【図１２】５個のダウンリンクサブフレームと３個のアップリンクサブフレームとの間のマッピング関係の一例を示す。
【図１３】５個のダウンリンクサブフレームと３個のアップリンクサブフレームとの間のマッピング関係の他の例を示す。
【図１４】４個のダウンリンクサブフレームと４個のアップリンクサブフレームとの間のマッピング関係の一例を示す。
【図１５】３個のダウンリンクサブフレームと５個のアップリンクサブフレームとの間のマッピング関係の一例を示す。
【図１６】２個のダウンリンクサブフレームと６個のアップリンクサブフレームとの間のマッピング関係の一例を示す。
【図１７】２個のダウンリンクサブフレームと６個のアップリンクサブフレームとの間のマッピング関係の他の例を示す。
【発明を実施するための形態】
【００１１】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、及びＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍはＩＥＥＥ８０２．１６ｅの進化であり、ＩＥＥＥ８０２．１６ｅに基づいたシステムとの後方互換性（ｂａｃｋｗａｒｄ  ｃｏｍｐａｔｉｂｉｌｉｔｙ）を提供する。ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は３ＧＰＰ  ＬＴＥの進化である。
【００１２】
説明を明確にするために、ＩＥＥＥ８０２．１６ｍを中心に記述するが、本発明の技術的思想がこれに制限されるものではない。
【００１３】
図１は、無線通信システムを示す。
【００１４】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられる。端末（Ｕｓｅｒ  Ｅｑｕｉｐｍｅｎｔ；ＵＥ）１２は、固定されたり移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、及び携帯機器（ｈａｎｄｈｅｌｄ  ｄｅｖｉｃｅ）等、他の用語で呼ばれることができる。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、及びアクセスポイント（Ａｃｃｅｓｓ  Ｐｏｉｎｔ）等、他の用語で呼ばれることができる。
【００１５】
端末は、一つのセルに属し、端末が属するセルをサービングセル（ｓｅｒｖｉｎｇ  ｃｅｌｌ）と呼ぶ。サービングセルに対して通信サービスを提供する基地局をサービング基地局（ｓｅｒｖｉｎｇ  ＢＳ）と呼ぶ。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）と呼ぶ。隣接セルに対して通信サービスを提供する基地局を隣接基地局（ｎｅｉｇｈｂｏｒ  ＢＳ）と呼ぶ。サービングセル及び隣接セルは端末を基準にして相対的に決定される。
【００１６】
この技術は、ダウンリンク（ｄｏｗｎｌｉｎｋ）またはアップリンク（ｕｐｌｉｎｋ）に使われることができる。一般的にダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００１７】
図２は、本発明の一実施例に係る送信機と受信機を示すブロック図である。
【００１８】
図２を参照すると、送信機１００は、プロセッサ１１０及びＲＦ部１２０を含む。プロセッサ１１０は、割り当てるアップリンク制御チャネルの大きさまたはインデックスなどのチャネル情報を処理してアップリンク制御チャネルを割り当て、ＲＦ部１２０は、前記チャネル情報を送信する。
【００１９】
受信機２００は、プロセッサ２１０及びＲＦ部２２０を含む。プロセッサ２１０は、前記チャネル情報を処理してアップリンク制御信号を生成し、ＲＦ部２２０は、前記アップリンク制御信号を送信する。
【００２０】
送信機１００と受信機２００は、一つの送信アンテナと一つの受信アンテナを有するシングル入力シングル出力（ＳＩＳＯ；Ｓｉｎｇｌｅ−Ｉｎｐｕｔ  Ｓｉｎｇｌｅ−Ｏｕｔｐｕｔ）方式を示しているが、本発明の技術的思想は、複数の送信アンテナと複数の受信アンテナを有する多重入力多重出力（ＭＩＭＯ；Ｍｕｌｔｉｐｌｅ−Ｉｎｐｕｔ  Ｍｕｌｔｉｐｌｅ−Ｏｕｔｐｕｔ）システムにもそのまま適用することができる。
【００２１】
また、送信機１００と受信機２００は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）基盤システムを示しているが、本発明の技術的思想は、ＴＤＭＡ（Ｔｉｍｅ  Ｄｉｖｉｓｉｏｎ  Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）等、その他の無線接続方式基盤のシステムにそのまま適用することができる。
【００２２】
図３は、フレーム構造の一例を示す。
【００２３】
図３を参照すると、スーパーフレーム（ＳＦ；Ｓｕｐｅｒｆｒａｍｅ）は、スーパーフレームヘッダ（ＳＦＨ；Ｓｕｐｅｒｆｒａｍｅ  Ｈｅａｄｅｒ）と４個のフレーム（ｆｒａｍｅ、Ｆ０、Ｆ１、Ｆ２、Ｆ３）を含む。各フレームはスーパーフレーム内で同一長さを有する。各スーパーフレームの大きさは２０ｍｓであり、各フレームの大きさは５ｍｓであると例示しているが、これに限定されるものではない。スーパーフレームの長さ、スーパーフレームに含まれるフレームの個数、またはフレームに含まれるサブフレームの個数などは多様に変化することができる。フレームに含まれるサブフレームの個数は、チャネル帯域幅（ｃｈａｎｎｅｌ  ｂａｎｄｗｉｄｔｈ）及びＣＰ（Ｃｙｃｌｉｃ  Ｐｒｅｆｉｘ）長さによって多様に変わることができる。
【００２４】
スーパーフレームヘッダは、重要システムパラメータ（ｅｓｓｅｎｔｉａｌ  ｓｙｓｔｅｍ  ｐａｒａｍｅｔｅｒ）及びシステム構成情報（ｓｙｓｔｅｍ  ｃｏｎｆｉｇｕｒａｔｉｏｎ  ｉｎｆｏｒｍａｔｉｏｎ）を運ぶことができる。スーパーフレームヘッダは、スーパーフレームの最も前方に配置されることができる。ＳＦＨは、第１のＳＦＨ（Ｐ−ＳＦＨ；Ｐｒｉｍａｒｙ  ＳＦＨ）及び第２のＳＦＨ（Ｓ−ＳＦＨ；Ｓｅｃｏｎｄａｒｙ  ＳＦＨ）に分類されることができる。Ｐ−ＳＦＨ及びＳ−ＳＦＨは毎スーパーフレームで送信されることができる。
【００２５】
一つのフレームは、複数のサブフレーム（ｓｕｂｆｒａｍｅ、ＳＦ０、ＳＦ１、ＳＦ２、ＳＦ３、ＳＦ４、ＳＦ５、ＳＦ６、ＳＦ７）を含む。各サブフレームはアップリンクまたはダウンリンク送信のために使われることができる。一つのサブフレームは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルまたはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を含み、周波数領域（ｆｒｅｑｕｅｎｃｙ  ｄｏｍａｉｎ）で複数の副搬送波（ｓｕｂｃａｒｒｉｅｒ）を含む。ＯＦＤＭシンボルは一つのシンボル区間（ｓｙｍｂｏｌ  ｐｅｒｉｏｄ）を表現するためのものであり、多重接続方式によって、ＯＦＤＭＡシンボル、ＳＣ−ＦＤＭＡシンボルなど、他の名称で呼ばれることができる。サブフレームは、５、６、７または９個のＯＦＤＭシンボルで構成されることができるが、これは例示に過ぎず、サブフレームに含まれるＯＦＤＭシンボルの数は制限されない。サブフレームに含まれるＯＦＤＭシンボルの数は、チャネル帯域幅、ＣＰの長さによって多様に変更されることができる。サブフレームが含むＯＦＤＭシンボルの数によってサブフレームのタイプ（ｔｙｐｅ）が定義されることができる。例えば、タイプ−１サブフレームは６ＯＦＤＭシンボル、タイプ−２サブフレームは７ＯＦＤＭシンボル、タイプ−３サブフレームは５ＯＦＤＭシンボル、タイプ−４サブフレームは９ＯＦＤＭシンボルを含むと定義されることができる。一つのフレームは、全部同一なタイプのサブフレームを含むことができる。または、一つのフレームは互いに異なるタイプのサブフレームを含むこともできる。即ち、一つのフレーム内の各サブフレーム毎に含むＯＦＤＭシンボルの個数は全部同じ、或いは各々異なる。または、一つのフレーム内の少なくとも一つのサブフレームのＯＦＤＭシンボルの個数は、前記フレーム内の残りのサブフレームのＯＦＤＭシンボルの個数と異なる。
【００２６】
フレームには、ＴＤＤ（Ｔｉｍｅ  Ｄｉｖｉｓｉｏｎ  Ｄｕｐｌｅｘ）方式またはＦＤＤ（Ｆｒｅｑｕｅｎｃｙ  Ｄｉｖｉｓｉｏｎ  Ｄｕｐｌｅｘ）方式が適用されることができる。ＴＤＤ方式で各サブフレームが同一周波数で互いに異なる時間にアップリンク送信またはダウンリンク送信のために使われる。即ち、ＴＤＤ方式のフレーム内のサブフレームは、時間領域でアップリンクサブフレームとダウンリンクサブフレームに区分される。ＦＤＤ方式で各サブフレームが同一時間の互いに異なる周波数でアップリンク送信またはダウンリンク送信のために使われる。即ち、ＦＤＤ方式のフレーム内のサブフレームは、周波数領域でアップリンクサブフレームとダウンリンクサブフレームに区分される。アップリンク送信とダウンリンク送信は、互いに異なる周波数帯域を占め、同時に行われることができる。
【００２７】
サブフレームは、周波数領域で複数の物理リソースユニット（ＰＲＵ；Ｐｈｙｓｉｃａｌ  Ｒｅｓｏｕｒｃｅ  Ｕｎｉｔ）を含む。ＰＲＵは、リソース割当のための基本物理ユニットであり、時間領域で複数の連続する（ｃｏｎｓｅｃｕｔｉｖｅ）ＯＦＤＭシンボルを含み、周波数領域で複数の連続する副搬送波を含む。ＰＲＵに含まれるＯＦＤＭシンボルの個数は一つのサブフレームに含まれるＯＦＤＭシンボルの個数と同じである。従って、ＰＲＵ内のＯＦＤＭシンボルの個数はサブフレームタイプによって決定されることができる。例えば、一つのサブフレームが６ＯＦＤＭシンボルを含む時、ＰＲＵは１８副搬送波と６ＯＦＤＭシンボルで定義されることができる。
【００２８】
論理リソースユニット（ＬＲＵ；Ｌｏｇｉｃａｌ  Ｒｅｓｏｕｒｃｅ  Ｕｎｉｔ）は、分散（ｄｉｓｔｒｉｂｕｔｅｄ）リソース割当及び連続（ｃｏｎｔｉｇｕｏｕｓ）リソース割当のための基本的論理ユニットである。ＬＲＵは、複数個のＯＦＤＭシンボルと複数個の副搬送波で定義され、ＰＲＵで使われるパイロットを含む。従って、一つのＬＲＵにおける適切な副搬送波の個数は割り当てられたパイロットの数に依存する。
【００２９】
分散リソースユニット（ＤＲＵ；Ｄｉｓｔｒｉｂｕｔｅｄ  Ｒｅｓｏｕｒｃｅ  Ｕｎｉｔ）は、周波数ダイバーシティ利得（ｆｒｅｑｕｅｎｃｙ  ｄｉｖｅｒｓｉｔｙ  ｇａｉｎ）を得るために使われることができる。ＤＲＵは、一つの周波数パーティション（ｆｒｅｑｕｅｎｃｙ  ｐａｒｔｉｔｉｏｎ）内に分散された副搬送波グループを含む。ＤＲＵの大きさはＰＲＵの大きさと同じである。ＤＲＵを形成する最小単位は一つの副搬送波である。分散論理リソースユニット（ＤＬＲＵ；Ｄｉｓｔｒｉｂｕｔｅｄ  Ｌｏｇｉｃａｌ  Ｒｅｓｏｕｒｃｅ  Ｕｎｉｔ）は、ＤＲＵ内で副搬送波パーミュテイション（ｓｕｂｃａｒｒｉｅｒ  ｐｅｒｍｕｔａｔｉｏｎ）を実行して得ることができる。
【００３０】
連続リソースユニット（ＣＲＵ；Ｃｏｎｔｉｇｕｏｕｓ  Ｒｅｓｏｕｒｃｅ  Ｕｎｉｔ）は、周波数選択的スケジューリング利得（ｆｒｅｑｕｅｎｃｙ  ｓｅｌｅｃｔｉｖｅ  ｓｃｈｅｄｕｌｉｎｇ  ｇａｉｎ）を得るために使われることができる。ＣＲＵは局部的（ｌｏｃａｌｉｚｅｄ）副搬送波グループを含む。ＣＲＵの大きさはＰＲＵの大きさと同じである。連続論理リソースユニット（ＣＬＲＵ；Ｃｏｎｔｉｇｕｏｕｓ  Ｌｏｇｉｃａｌ  Ｒｅｓｏｕｒｃｅ  Ｕｎｉｔ）はＣＲＵを直接的にマッピングして得ることができる。
【００３１】
一方、多重セル（ｍｕｌｔｉ−ｃｅｌｌ）が存在するセルラーシステムで部分的周波数再使用（ＦＦＲ；Ｆｒａｃｔｉｏｎａｌ  Ｆｒｅｑｕｅｎｃｙ  Ｒｅｕｓｅ）技法が使われることができる。ＦＦＲ技法は、全体周波数帯域を複数の周波数パーティションに分割し、各々のセルに周波数パーティションを割り当てる技法である。ＦＦＲ技法を介して隣接するセル間には互いに異なる周波数パーティションが割り当てられ、遠く離れているセル間には同一周波数パーティションが割り当てられることができる。または、各周波数パーティションは各セルに割り当てられ、各セルは隣接セル間にセル間干渉（ＩＣＩ；Ｉｎｔｅｒ−Ｃｅｌｌ  Ｉｎｔｅｒｆｅｒｅｎｃｅ）を起こす周波数パーティションを除いた全ての周波数パーティションを使用することができる。従って、セル間干渉が減ることができ、セルの端部に位置する端末の性能を高めることができる。
【００３２】
以下、制御信号またはフィードバック信号を送信するための制御チャネルに対して説明する。制御チャネルは基地局と端末との間の通信のための多様な種類の制御信号の送信のために使われることができる。以下、説明する制御チャネルは、アップリンク制御チャネル及びダウンリンク制御チャネル、ファストフィードバックチャネルに適用されることができる。
【００３３】
図４は、ＩＥＥＥ８０２．１６ｍシステムにおけるアップリンク制御チャネルに使われるリソースユニットの一例を示す。リソースユニット（ｒｅｓｏｕｒｃｅ  ｕｎｉｔ）  ３００は、アップリンク制御チャネルの送信に使われるリソース割当単位であり、タイル（ｔｉｌｅ）とも呼ぶ。タイル３００は、物理的リソース割当単位、または論理的（ｌｏｇｉｃａｌ）リソース割当単位である。制御チャネルは、少なくとも一つのタイル３００を含み、タイル３００は、時間領域の少なくとも一つのＯＦＤＭシンボル上に周波数領域の少なくとも一つの副搬送波で構成される。タイル３００は、時間領域及び周波数領域に隣接する複数の副搬送波の集合を意味する。タイル３００は、複数のデータ副搬送波及び／またはパイロット副搬送波を含む。データ副搬送波には制御信号のシーケンスがマッピングされ、パイロット副搬送波にはチャネル推定のためのパイロットがマッピングされることができる。
【００３４】
タイル３００は、３個のミニユニット（ｍｉｎｉ  ｕｎｉｔ）３１０、３２０、３３０を含む。ミニユニットはミニタイル（ｍｉｎｉ  ｔｉｌｅ）とも呼ぶ。タイル３００は、複数のミニタイル（ｍｉｎｉ−ｔｉｌｅ）で構成されることができ、ミニタイルは、時間領域の少なくとも一つのＯＦＤＭシンボル上に周波数領域の少なくとも一つの副搬送波で構成されることができる。ミニタイル３１０、３２０、３３０の各々は、６個のＯＦＤＭシンボルにわたって２個の隣接する（ｃｏｎｔｉｇｕｏｕｓ）副搬送波を含む。タイル３００内のミニタイル３１０、３２０、３３０は周波数領域で互いに隣接しない場合がある。これは第１のミニタイル３１０と第２のミニタイル３２０との間及び／または第２のミニタイル３２０と第３のミニタイル３３０との間には、他のタイルのミニタイルが少なくとも一つ配置されることができることを意味する。タイル３００内のミニタイル３１０、３２０、３３０を周波数領域で分散的に配置することによって周波数ダイバーシティ（ｄｉｖｅｒｓｉｔｙ）を得ることができる。
【００３５】
ミニタイルに含まれる時間領域におけるＯＦＤＭシンボルの数及び／または周波数領域における副搬送波の数は、例示に過ぎず、制限されるものではない。ミニタイルに含まれるＯＦＤＭシンボルの数は、サブフレームに含まれるＯＦＤＭシンボルの数によって変わることができる。例えば、一つのサブフレームに含まれるＯＦＤＭシンボルの数が６の場合、ミニタイルに含まれるＯＦＤＭシンボルの数は６である。
【００３６】
ＯＦＤＭシンボルは、時間領域で区間（ｄｕｒａｔｉｏｎ）を意味し、必ずＯＦＤＭ／ＯＦＤＭＡに基づいたシステムに限定するものではｆない。これはシンボル区間など、他の名称で呼ばれることができ、ＯＦＤＭシンボルという名称により本発明の技術的思想が特定多重接続方式（ｍｕｌｔｉｐｌｅ  ａｃｃｅｓｓ  ｓｃｈｅｍｅ）に限定されるものではない。また、副搬送波は、周波数領域で割当単位を意味し、ここでは一つの副搬送波を単位にするが、副搬送波集合単位が使われることができる。
【００３７】
制御チャネルは、次のような点を考慮して設計される。
【００３８】
（１）制御チャネルに含まれる複数のタイルは、周波数ダイバーシティ（ｄｉｖｅｒｓｉｔｙ）利得を得るために時間領域または周波数領域に分散されることができる。例えば、ＤＲＵが６個のＯＦＤＭシンボル上の６個の連続する副搬送波で構成されるタイルを３個含むことを考慮する時、制御チャネルは、３個のタイルを含み、各タイルが周波数領域または時間領域に分散されることができる。または、制御チャネルは、少なくとも一つのタイルを含み、タイルは、複数のミニタイルで構成され、複数のミニタイルが周波数領域または時間領域に分散されることができる。例えば、ミニタイルは（ＯＦＤＭシンボル×副搬送波）＝６×６、３×６、２×６、１×６、６×３、６×２、６×１等で構成されることができる。ＩＥＥＥ８０２．１６ｅの（ＯＦＤＭシンボル×副搬送波）＝３×４のＰＵＳＣ構造のタイルを含む制御チャネルとミニタイルを含む制御チャネルがＦＤＭ（ｆｒｅｑｕｅｎｃｙ  ｄｉｖｉｓｉｏｎ  ｍｕｌｔｉｐｌｅｘｉｎｇ）方式に多重化されると仮定する時、ミニタイルは（ＯＦＤＭシンボル×副搬送波）＝６×２、６×１等で構成されることができる。ミニタイルを含む制御チャネルのみを考慮する時、ミニタイルは（ＯＦＤＭシンボル×副搬送波）＝６×２、３×６、２×６、１×６等で構成されることができる。
【００３９】
（２）高速の端末をサポートするために制御チャネルを構成するＯＦＤＭシンボルの数は最小限に構成されなければならない。例えば、３５０ｋｍ／ｈで移動する端末をサポートするために制御チャネルを構成するＯＦＤＭシンボルの数は３個以下が適切である。
【００４０】
（３）端末のシンボル当たり送信電力は限界があり、端末のシンボル当たり送信電力を高めるためには制御チャネルを構成するＯＦＤＭシンボルの数が多いほど有利である。従って、（２）の高速の端末と（３）の端末のシンボル当たり送信電力を考慮して適切なＯＦＤＭシンボルの数が決定されなければならない。
【００４１】
（４）コヒーレント検出（ｃｏｈｅｒｅｎｔ  ｄｅｔｅｃｔｉｏｎ）のためにチャネル推定のためのパイロット副搬送波が時間領域または周波数領域に均等に分散されなければならない。コヒーレント検出は、パイロットを用いたチャネル推定を実行した後にデータ副搬送波に載せたデータを求める方法である。パイロット副搬送波の電力ブースティング（ｐｏｗｅｒ  ｂｏｏｓｔｉｎｇ）のために、制御チャネルのＯＦＤＭシンボル当たりパイロットの数が同じである場合のみ、シンボル当たり送信電力が同一に維持されることができる。
【００４２】
（５）非コヒーレント検出（ｎｏｎ−ｃｏｈｅｒｅｎｔ  ｄｅｔｅｃｔｉｏｎ）のために、制御信号は、直交コード／シーケンスまたは準直交（ｓｅｍｉ−ｏｒｔｈｏｇｏｎａｌ）コード／シーケンスで構成されたり、或いはスプレッディング（ｓｐｒｅａｄｉｎｇ）されなければならない。
【００４３】
制御チャネルのうちアップリンク制御チャネルには、ファストフィードバックチャネル（ＦＦＢＣＨ；Ｆａｓｔ  Ｆｅｅｄｂａｃｋ  Ｃｈａｎｎｅｌ）、帯域幅要請チャネル（ＢＲＣＨ；Ｂａｎｄｗｉｄｔｈ  Ｒｅｑｕｅｓｔ  Ｃｈａｎｎｅｌ）、ＨＡＲＱフィードバックチャネル（ＨＦＢＣＨ；Ｈｙｂｒｉｄ  Ａｕｔｏｍａｔｉｃ  Ｒｅｐｅａｔ  ｒｅＱｕｅｓｔ  Ｆｅｅｄｂａｃｋ  Ｃｈａｎｎｅｌ）、及びアップリンクレンジングチャネル（ｒａｎｇｉｎｇ  ｃｈａｎｎｅｌ）などが含まれることができる。ファストフィードバックチャネルは、一般的なアップリンクデータより迅速なアップリンク送信のためのチャネルである。帯域幅要請チャネルは、端末が送信しようとするアップリンクデータまたは制御信号を送信するための無線リソースを要請するチャネルである。ＨＡＲＱフィードバックチャネルは、データ送信に対する応答としてＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）信号を送信するためのチャネルである。ファストフィードバックチャネル、帯域幅要請チャネル、ＨＡＲＱフィードバックチャネルなどはアップリンクサブフレームまたはフレームのどこでも位置することができる。アップリンクレンジングチャネルは、アップリンク同期化（ｓｙｎｃｈｒｏｎｉｚａｔｉｏｎ）のために使われる。さらに、アップリンクレンジングチャネルは、非同期端末（ｎｏｎ−ｓｙｎｃｈｒｏｎｉｚｅｄ  ＵＥ）のためのレンジングチャネルと同期端末（ｓｙｎｃｈｒｏｎｉｚｅｄ  ＵＥ）のためのレンジングチャネルに区分されることができる。同期端末のためのレンジングチャネルは周期的レンジング（ｐｅｒｉｏｄｉｃ  ｒａｎｇｉｎｇ）のために使われる。非同期端末のためのレンジングチャネルは初期接続（ｉｎｉｔｉａｌ  ａｃｃｅｓｓ）とハンドオーバー（ｈａｎｄｏｖｅｒ）のために使われる。
【００４４】
以下、アップリンク制御信号送信方法を記述する。
【００４５】
一般的にアップリンク制御信号送信のためのアップリンク制御チャネルの割り当てにおいて、ＦＦＲ領域毎にアップリンク制御チャネルの割当可否を決定することができる。然しながら、アップリンク制御チャネルが全てのＦＦＲ領域に割り当てられると、チャネル割当においてシグナリングオーバーヘッド（ｓｉｇｎａｌｉｎｇ  ｏｖｅｒｈｅａｄ）が発生することができる。また、ダウンリンクとアップリンクのＦＦＲ部分化（ｐａｒｔｉｔｉｏｎｉｎｇ）方法が異なる場合があり、この時、アップリンク制御チャネル割当に混線が発生することができる。従って、基地局は、アップリンク制御チャネルの大きさなどのブロードキャスト情報を介してアップリンク制御チャネルが割り当てられるＦＦＲ領域を決定することができる。例えば、全てのＦＦＲ領域に割り当てるほどチャネルの個数が多い必要がなく、電力制御（ｐｏｗｅｒ  ｃｏｎｔｒｏｌ）をすることができないＢＲＣＨは一つのＦＦＲ領域にのみ割り当てることができる。また、電力制御をすることができるＦＦＢＣＨ、ＨＦＢＣＨなどは、全てのＦＦＲ領域に割り当てたり、領域別に割当可否を決定することができる。
【００４６】
図５は、本発明の一実施例に係るアップリンク制御信号送信方法を示す。
【００４７】
図５を参照すると、段階Ｓ４００で基地局は端末に複数のアップリンク制御チャネルの各々に対するリソース割当情報を送信する。前記複数のアップリンク制御チャネルは、ＢＲＣＨ、ＥＭＢＳフィードバックチャネル、及びフィードバックチャネルのうち少なくともいずれか一つである。前記リソース割当情報は、前記複数のアップリンク制御チャネルが構成されるリソース領域内で前記複数のアップリンク制御チャネルの各々に割り当てられた無線リソースの大きさを含むことができ、また、前記リソース領域が送信されるサブフレームの位置に関する情報を含むことができる。前記無線リソースの大きさは該当アップリンク制御チャネル自体の大きさであってもよく、該当アップリンク制御チャネルと同一種類のアップリンク制御チャネルの個数であってもよい。例えば、ＢＲＣＨの個数が３個である場合（ＢＲＣＨ＃０、ＢＲＣＨ＃１、ＢＲＣＨ＃２）、前記無線リソースの大きさは一つのＢＲＣＨの大きさであってもよく、３個のＢＲＣＨの大きさであってもよい。追加的に、前記リソース割当情報は、ＦＦＲ技法が使われる場合、前記アップリンク制御チャネルが割り当てられる周波数パーティションを決定することができる。例えば、アップリンク制御チャネルは、再使用１領域（ｒｅｕｓｅ  １  ｒｅｇｉｏｎ）に割り当てられることができる。この時、前記再使用１領域は第１の周波数パーティション（ＦＰ０）である。または、アップリンク制御チャネルは、送信電力が最も強い（ｈｉｇｈｅｓｔ−ｐｏｗｅｒ）再使用３領域（ｒｅｕｓｅ  ３  ｒｅｇｉｏｎ）に割り当てられることができる。この時、前記再使用３領域は、第２の周波数パーティション（ＦＰ１）、第３の周波数パーティション（ＦＰ２）または第４の周波数パーティション（ＦＰ３）のうちいずれか一つである。前記リソース割当情報は、ブロードキャストされることができ、Ｓ−ＳＦＨに含まれることができる。
【００４８】
前記アップリンク制御チャネルの各々に割り当てられた無線リソースの大きさはブロードキャスト（ｂｒｏａｄｃａｓｔ）情報として送信されることができる。ブロードキャスト情報は、基地局に属している全ての端末が知っていなければならない（ｎｏｎ−ｕｓｅｒ−ｓｐｅｃｉｆｉｃ）情報であり、ブロードキャストチャネル（ＢＣＨ；Ｂｒｏａｄｃａｓｔ  Ｃｈａｎｎｅｌ）またはＡ−ＭＡＰ（Ａｄｖａｎｃｅｄ−ＭＡＰ）＝ユニキャストサービス制御チャネル（ＵＳＣＣＨ；Ｕｎｉｃａｓｔ  Ｓｅｒｖｉｃｅ  Ｃｏｎｔｒｏｌ  Ｃｈａｎｎｅｌ）を介して送信されることができる。また、前記リソース領域が送信されるサブフレームの位置に関する情報、即ち、前記アップリンク制御チャネルのインデックス情報は、ユニキャスト（ｕｎｉｃａｓｔ）情報として送信されることができる。ユニキャスト情報は、特定の端末に対して送信される（ｕｓｅｒ−ｓｐｅｃｉｆｉｃ）情報であり、Ａ−ＭＡＰを介して送信されることができる。
【００４９】
前記送信されたリソース割当情報によって複数のアップリンク制御チャネルに対してリソース領域上で隣接するリソースが割り当てられる。前記複数のアップリンク制御チャネルのうち一つを基準アップリンク制御チャネルに設定することができ、前記基準アップリンク制御チャネルを基準にして残りのアップリンク制御チャネルに対して順次隣接する無線リソースが割り当てられる。前記基準アップリンク制御チャネルのリソース領域上での位置は予め指定される（ｐｒｅ−ｄｅｔｅｒｍｉｎｅｄ）ことができる。
【００５０】
段階Ｓ４１０で端末は前記アップリンク制御チャネルのうち一つを介してアップリンク制御信号を基地局に送信する。前記アップリンク制御信号がフィードバック信号の場合、前記リソース割当情報に含まれた前記リソース領域が送信されるサブフレームの位置で前記フィードバック信号が送信されることができる。
【００５１】
図６は、本発明によって割り当てられたアップリンク制御チャネルの一例を示す。
【００５２】
図６を参照すると、まず、ＢＲＣＨ５００がアップリンク制御チャネルとして割り当てられる。ＢＲＣＨ５００は、競争基盤チャネル（ｃｏｎｔｅｎｔｉｏｎ  ｂａｓｅｄ  ｃｈａｎｎｅｌ）であり、基地局に属する全ての端末はＢＲＣＨ５００が割り当てられる領域を知る必要がある。ＢＲＣＨ５００はＤＲＵ＃０から始めることができる。または、ＢＲＣＨ５００は、ＤＲＵ＃０だけでなく、ＤＲＵ＃ｌａｓｔなどの標準文書に固定された位置またはＥＭＢＳフィードバックチャネルの直後に位置することができる。従って、端末がＢＲＣＨ５００の開始位置を推定することができるため、ＢＲＣＨ５００の開始位置はブロードキャスト情報として送信されなくてもよい。然しながら、隣接する他の制御チャネルの開始位置を推定するためにＢＲＣＨ５００の大きさはブロードキャスト情報として送信される必要がある。
【００５３】
ＢＲＣＨ５００に隣接してＥＭＢＳフィードバックチャネル５１０が割り当てられる。ＥＭＢＳフィードバックチャネル５１０は、ＢＲＣＨ５００と隣接するようにＢＲＣＨ５００の終了位置から始めることができる。即ち、ＢＲＣＨ５００がＤＲＵ＃０から始める場合、ＥＭＢＳフィードバックチャネル５１０の開始位置は‘ＤＲＵ＃０＋ＢＲＣＨの大きさ’となる。または、ＥＭＢＳフィードバックチャネル５１０は、ＤＲＵ＃０またはＤＲＵ＃ｌａｓｔのように標準文書に固定された位置から始めることができる。従って、端末がＥＭＢＳフィードバックチャネル５１０の開始位置を推定することができるため、ＥＭＢＳフィードバックチャネル５１０の開始位置はブロードキャスト情報として送信されなくてもよい。然しながら、隣接する他の制御チャネルの開始位置を推定するためにＥＭＢＳフィードバックチャネル５１０の大きさはブロードキャスト情報として送信される必要がある。
【００５４】
ＥＭＢＳフィードバックチャネル５１０に隣接してフィードバックチャネル５２０が割り当てられる。フィードバックチャネル５２０は、非競争基盤チャネル（ｎｏｎ−ｃｏｎｔｅｎｔｉｏｎ  ｂａｓｅｄ  ｃｈａｎｎｅｌ）に該当する。各端末は、基地局により各端末に割り当てられるフィードバックチャネル５２０の領域を知る必要があり、全ての端末はデータチャネルまたはサウンディングチャネル（ｓｏｕｎｄｉｎｇ  ｃｈａｎｎｅｌ）の割当のためにフィードバックチャネル５２０が割り当てられる領域を知ることができる。フィードバックチャネル５２０はＨＦＢＣＨ５３０とＦＦＢＣＨ５４０の２種類種類に分けられる。ＨＦＢＣＨは、ＨＡＲＱフィードバックを送信するチャネルであり、受信した信号に対するＡＣＫ／ＮＡＣＫを送信する。ＦＦＢＣＨは、迅速なアップリンク送信のために割り当てられるチャネルであり、フィードバックメッセージが載せることができる。
【００５５】
ＨＦＢＣＨ５３０はＥＭＢＳフィードバックチャネル５１０に隣接して割り当てられる。ＨＦＢＣＨ５３０はＥＭＢＳフィードバックチャネル５１０と隣接するようにＥＭＢＳフィードバックチャネル５１０の終了位置から始めることができる。即ち、ＨＦＢＣＨの開始位置は‘ＤＲＵ＃０＋ＢＲＣＨの大きさ＋ＥＭＢＳフィードバックチャネルの大きさ’となる。または、ＨＦＢＣＨ５３０は、ＤＲＵ＃０またはＤＲＵ＃ｌａｓｔのように標準文書に固定された位置から始めることができる。従って、端末がＨＦＢＣＨ５３０の開始位置を推定することができるため、ＨＦＢＣＨ５３０の開始位置はブロードキャスト情報として送信されなくてもよい。また、ＨＦＢＣＨ５３０の大きさは、Ａ−ＭＡＰにダウンリンクグラント（ＤＬ  ｇｒａｎｔ）の個数に対する情報が含まれる場合、Ａ−ＭＡＰを読み込んだ端末がこれを知ることができるため、ＨＦＢＣＨ５３０の大きさもブロードキャスト情報として送信されなくてもよい。
【００５６】
ＨＡＲＱフィードバックの送信のために基地局から各端末別にＨＦＢＣＨ５３０のインデックス、即ちＨＡＲＱフィードバックが送信されるアップリンクサブフレームの位置に対する情報がユニキャスト情報として送信されることができる。一般的にＡ−ＭＡＰを読み込んだ端末は、自体が割当を受けたダウンリンクグラントのインデックスを知ることができるため、これに対応されるように予め決められたアップリンクサブフレームでＨＡＲＱフィードバックを送信することができる。従って、各端末別にＨＦＢＣＨ５３０のインデックスがユニキャスト情報として送信されなくてもよい。然しながら、もし、端末がダウンリンクグラントのインデックスを知ることができない場合には、各端末別に使用するＨＦＢＣＨ５３０のインデックスがユニキャスト情報として送信される必要がある。また、永続割当（ＰＡ；Ｐｅｒｓｉｓｔｅｎｔ  Ａｌｌｏｃａｔｉｏｎ）ＨＦＢＣＨの場合、端末がＡ−ＭＡＰを読み込んでも自体が割当を受けた永続割当情報を除いては永続割当ＨＦＢＣＨの大きさや順序を知ることができないため、各端末別に使用する永続割当ＨＦＢＣＨのインデックスがユニキャスト情報として送信されなければならない。永続割当ＨＦＢＣＨのインデックスは、永続割当ＨＦＢＣＨのためのＭＡＰを新たに定義して送信したり、ダウンリンクデータのヘッダ（ｈｅａｄｅｒ）に付けて送信することができる。
【００５７】
ＦＦＢＣＨ５４０は、フィードバックチャネル５２０の最後（ＤＲＵ＃ｌａｓｔ）からインデックスを逆にして割り当てられる。または、ＦＦＢＣＨ５４０は、ＢＲＣＨ５００、ＥＭＢＳフィードバックチャネル５１０、ＨＦＢＣＨ５３０後に位置したり、ＤＲＵ＃０またはＤＲＵ＃ｌａｓｔのように標準文書に固定された位置から始めることができる。従って、端末がＦＦＢＣＨ５４０の開始位置を推定することができるため、ＦＦＢＣＨ５４０の開始位置はブロードキャスト情報として送信されなくてもよい。また、ＦＦＢＣＨ５４０の大きさもブロードキャスト情報として送信される必要がない。
【００５８】
ファストフィードバックの送信のために基地局から各端末別にＦＦＢＣＨ５４０のインデックス、即ち、ファストフィードバックが送信されるアップリンクサブフレームの位置に対する情報がユニキャスト情報として送信されることができる。ＦＦＢＣＨ５４０は、前記永続割当ＨＦＢＣＨ５３０のように各端末別に使用するＦＦＢＣＨ５４０のインデックスがユニキャスト情報として送信される必要がある。基地局は、ＦＦＢＣＨ５４０を割り当てる必要があると判断した端末に対してＦＦＢＣＨ５４０のインデックスを送信することができる。ＦＦＢＣＨ５４０のインデックスは、ＦＦＢＣＨ５４０のためのＭＡＰを新たに定義して送信したり、ダウンリンクデータのヘッダに付けて送信することができる。
【００５９】
前記アップリンク制御チャネルの大きさ情報は、各チャネルの大きさ単位に割り当てることができる。ＢＲＣＨは６×６タイル３個または６個が一つのＢＲＣＨの単位であるため、その単位にＢＲＣＨの大きさを割り当てる。ＨＦＢＣＨは２×２ＨＭＴ３個が一つのＨＦＢＣＨの単位であるため、その単位にＨＦＢＣＨの大きさを割り当てる。ＦＦＢＣＨは２×６ＦＭＴ３個が一つのＦＦＢＣＨの単位であるため、その単位にＦＦＢＣＨの大きさを割り当てる。この場合、提案された方法によりアップリンク制御チャネルを論理的に互いに隣接するように割り当てると、一つのＤＲＵ内に複数のアップリンク制御チャネルが共存することができる。従って、アップリンク制御チャネルをアップリンクデータチャネルと分離して定義することができる。
【００６０】
または、前記アップリンク制御チャネルの大きさは使用するタイルの単位に割り当てることができる。この場合、提案された方法によりアップリンク制御チャネルを論理的に互いに隣接するように割り当てると、一つのＤＲＵ内のタイル内に複数のアップリンク制御チャネルが共存することができる。従って、アップリンク制御チャネルをアップリンクデータチャネルと分離して定義することができる。
【００６１】
図７は、前記割り当てられたアップリンク制御チャネルのＨＦＢＣＨとＦＦＢＣＨが一つのＤＲＵ内に割り当てられた一例を示す。図７を参照すると、ＤＲＵ６００は６個のＯＦＤＭシンボルを含み、６×６大きさのタイル３個６１０、６２０、６３０を含む。ＨＦＢＣＨのリソースは、３個の分散された２×６大きさのフィードバックミニタイル（ＦＭＴ；Ｆｅｅｄｂａｃｋ  Ｍｉｎｉ−Ｔｉｌｅ）に存在し、各々のＦＭＴは、２×２大きさのＨＡＲＱミニタイル（ＨＭＴ；ＨＡＲＱ  Ｍｉｎｉ−Ｔｉｌｅ）に細分化されることができる。３個のＦＭＴは６個のＨＦＢＣＨをサポートする。ＦＦＢＣＨのリソースは３個の分散された２×６大きさのＦＭＴに存在し、３個のＦＭＴは１個のＨＦＢＣＨをサポートする。
【００６２】
図８は、本発明によって割り当てられたアップリンク制御チャネルの他の例を示す。ＢＲＣＨ７００がＤＲＵ＃０から始め、ＥＭＢＳフィードバックチャネル７１０が‘ＤＲＵ＃０＋ＢＲＣＨの大きさ’から始める。ＦＦＢＣＨ７３０が‘ＤＲＵ＃０＋ＢＲＣＨの大きさ＋ＥＭＢＳフィードバックチャネルの大きさ’から始め、ＨＦＢＣＨ７４０はフィードバックチャネル７２０の最後（ＤＲＵ＃ｌａｓｔ）からインデックスを逆にして割り当てられる。即ち、ＦＦＢＣＨ７３０の位置とＨＦＢＣＨ７４０の位置は変わることができる。
【００６３】
図９は、本発明によって割り当てられたアップリンク制御チャネルの他の例を示す。ＥＭＢＳフィードバックチャネル８００がＤＲＵ＃０から始め、ＢＲＣＨ８１０が‘ＤＲＵ＃０＋ＥＭＢＳフィードバックチャネルの大きさ’から始める。ＨＦＢＣＨ８３０が‘ＤＲＵ＃０＋ＥＭＢＳフィードバックチャネルの大きさ＋ＢＲＣＨの大きさ’から始め、ＦＦＢＣＨ８４０は、フィードバックチャネル８２０の最後（ＤＲＵ＃ｌａｓｔ）からインデックスを逆にして割り当てられる。即ち、ＥＭＢＳフィードバックチャネル８００の位置とＢＲＣＨ８１０の位置は変わることができる。
【００６４】
図１０は、本発明によって割り当てられたアップリンク制御チャネルの他の例を示す。ＢＲＣＨ９００がＤＲＵ＃ｌａｓｔから始めてインデックスを逆にして割り当てられ、ＥＭＢＳフィードバックチャネル９１０が‘ＤＲＵ＃ｌａｓｔ−ＢＲＣＨの大きさ’から始める。ＨＦＢＣＨ９３０が‘ＤＲＵ＃ｌａｓｔ−ＢＲＣＨの大きさ−ＥＭＢＳフィードバックチャネルの大きさ’から始め、ＦＦＢＣＨ９４０はフィードバックチャネル９２０の最初（ＤＲＵ＃０）から始める。即ち、アップリンク制御チャネルの全体順序は変わることができる。
【００６５】
前記図８ないし図１０の例示のようにアップリンク制御チャネルの順序は変わることができ、チャネル順序の変化は組み合わせることができる。
【００６６】
アップリンク制御チャネルの割当においてＤＲＵの番号（ｎｕｍｂｅｒ）は論理的な概念であるため、セル（ｃｅｌｌ）別に同一ＤＲＵ番号を割り当てても実際物理的リソースの位置は異なることができる。ただし、ＢＲＣＨとＥＭＢＳフィードバックチャネルは符号分割多重（ＣＤＭ；Ｃｏｄｅ  Ｄｉｖｉｓｉｏｎ  Ｍｕｌｔｉｐｌｅｘｉｎｇ）基盤であるため、隣接セルのデータチャネルのセル間干渉（ＩＣＩ；Ｉｎｔｅｒ−Ｃｅｌｌ  Ｉｎｔｅｒｆｅｒｅｎｃｅ）を避けるためにセル間物理的リソースの位置を同一に割り当てることができる。
【００６７】
一方、一フレーム内にダウンリンクサブフレームの個数とアップリンクサブフレームの個数が異なる場合、ＨＦＢＣＨの割当においてダウンリンクグラントとこれに対応するＨＦＢＣＨのマッピング関係を予め定める必要がある。このようなマッピング関係は標準文書により固定されなければならない。
【００６８】
図１１は、６個のダウンリンクサブフレームと２個のアップリンクサブフレームとの間のマッピング関係の一例を示す。第１ないし第３のダウンリンクサブフレームのダウンリンクグラントに対するＨＡＲＱフィードバック情報は、第１のアップリンクサブフレームに位置したＨＦＢＣＨに順に割り当てられ、第４ないし第６のダウンリンクサブフレームのダウンリンクグラントに対するＨＡＲＱフィードバック情報は、第２のアップリンクサブフレームに位置したＨＦＢＣＨに順に割り当てられる。
【００６９】
図１２は、５個のダウンリンクサブフレームと３個のアップリンクサブフレームとの間のマッピング関係の一例を示す。第１の及び第２のダウンリンクサブフレームのダウンリンクグラントに対するＨＡＲＱフィードバック情報は、第１のアップリンクサブフレームに位置したＨＦＢＣＨに順に割り当てられ、第３の及び第４のダウンリンクサブフレームのダウンリンクグラントに対するＨＡＲＱフィードバック情報は、第２のアップリンクサブフレームに位置したＨＦＢＣＨに順に割り当てられる。また、第５のダウンリンクサブフレームのダウンリンクグラントに対するＨＡＲＱフィードバック情報は、第３のアップリンクサブフレームに位置したＨＦＢＣＨに割り当てられる。
【００７０】
図１３は、５個のダウンリンクサブフレームと３個のアップリンクサブフレームとの間のマッピング関係の他の例を示す。第１ないし第３のダウンリンクサブフレームのダウンリンクグラントに対するＨＡＲＱフィードバック情報は、第１のアップリンクサブフレームに位置したＨＦＢＣＨに順に割り当てられ、第４のダウンリンクサブフレームのダウンリンクグラントに対するＨＡＲＱフィードバック情報は、第２のアップリンクサブフレームに位置したＨＦＢＣＨに順に割り当てられる。また、第５のダウンリンクサブフレームのダウンリンクグラントに対するＨＡＲＱフィードバック情報は、第３のアップリンクサブフレームに位置したＨＦＢＣＨに割り当てられる。
【００７１】
図１４は、４個のダウンリンクサブフレームと４個のアップリンクサブフレームとの間のマッピング関係の一例を示す。ダウンリンクサブフレームの個数とアップリンクサブフレームの個数が同じであるため、各ダウンリンクサブフレームのダウンリンクグラントに対するＨＡＲＱフィードバック情報は、それに対応する番号のアップリンクサブフレームに位置したＨＦＢＣＨに割り当てられる。
【００７２】
図１５は、３個のダウンリンクサブフレームと５個のアップリンクサブフレームとの間のマッピング関係の一例を示す。各ダウンリンクサブフレームのダウンリンクグラントに対するＨＡＲＱフィードバック情報は、それに対応する番号のアップリンクサブフレームに位置したＨＦＢＣＨに割り当てられる。第４または第５のアップリンクサブフレームは、ＨＡＲＱフィードバック情報のために割り当てられない。
【００７３】
図１６は、２個のダウンリンクサブフレームと６個のアップリンクサブフレームとの間のマッピング関係の一例を示す。各ダウンリンクサブフレームのダウンリンクグラントに対するＨＡＲＱフィードバック情報は、それに対応する番号のアップリンクサブフレームに位置したＨＦＢＣＨに割り当てられる。第３ないし第６のアップリンクサブフレームは、ＨＡＲＱフィードバック情報のために割り当てられない。この場合、アップリンクグラントに対応されるＨＦＢＣＨ間に遅延時間（ｌａｔｅｎｃｙ）は１サブフレームである。
【００７４】
図１７は、２個のダウンリンクサブフレームと６個のアップリンクサブフレームとの間のマッピング関係の他の例を示す。第１のダウンリンクサブフレームのダウンリンクグラントに対するＨＡＲＱフィードバック情報は、第２のアップリンクサブフレームに位置したＨＦＢＣＨに割り当てられ、第２のダウンリンクサブフレームのダウンリンクグラントに対するＨＡＲＱフィードバック情報は、第３のアップリンクサブフレームに位置したＨＦＢＣＨに割り当てられる。第１及び第４ないし第６のアップリンクサブフレームは、ＨＡＲＱフィードバック情報のために割り当てられない。この場合、アップリンクグラントに対応されるＨＦＢＣＨ間に遅延時間（ｌａｔｅｎｃｙ）は２サブフレームである。
【００７５】
本発明は、ハードウェア、ソフトウェアまたはそれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロ・プロセッサ、他の電子ユニットまたはそれらの組合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは、当業者によく知られた多様な手段を採用することができる。
【００７６】
以上、本発明に対して実施例を参照して説明したが、該当技術分野の通常の知識を有する者は、本発明の技術的思想及び領域から外れない範囲内で本発明を多様に修正及び変更させて実施することができることを理解することができる。従って、本発明は、前述した実施例に限定されるものではなく、特許請求の範囲内の全ての実施例を含む。
【図１】
0005356541.tif 000002
【図２】
0005356541.tif 000003
【図３】
0005356541.tif 000004
【図４】
0005356541.tif 000005
【図５】
0005356541.tif 000006
【図６】
0005356541.tif 000007
【図７】
0005356541.tif 000008
【図８】
0005356541.tif 000009
【図９】
0005356541.tif 000010
【図１０】
0005356541.tif 000011
【図１１】
0005356541.tif 000012
【図１２】
0005356541.tif 000013
【図１３】
0005356541.tif 000014
【図１４】
0005356541.tif 000015
【図１５】
0005356541.tif 000016
【図１６】
0005356541.tif 000017
【図１７】
0005356541.tif 000018